(57)【要約】【課題】 痰の吸引装置の気体制御バルブ組構造を提供する。【解決手段】気体制御バルブ組構造は、バルブ台、軸棒組、弾性体及びキャップを含む。該バルブ台は軸筒を備え、該軸筒上には入気管及び出気管をそれぞれ延伸し、しかも、相互間は連通する。該軸棒組一端は該軸筒内部に穿入し、かつ操作性移動が可能で、しかも、それは移動棒を含む。該移動棒の径方向において中心が貫通した通孔を開設する。該弾性体は該軸筒内部に収容され、しかも、その両端は該バルブ台と該軸棒組の対応端面上にそれぞれ接触し、該バルブ台において該軸棒組に対応する位置にはキャップを蓋合、連接し、該バルブ棒組の反対端はキャップ外部に貫通し露出する。これにより、内部気体の流動は阻害を受けることなく、その流速はスムーズで、しかも、均一となる。【選択図】  図４
0003129887.tif 000002
【実用新案登録請求の範囲】
【請求項１】
痰の吸引装置の気体制御バルブ組構造において、バルブ台、軸棒組、弾性体、キャップを
含み、
該バルブ台は軸筒を含み、該軸筒上には入気管及び出気管をそれぞれ延伸し、しかも相互
間は連通し、
該軸棒組一端は該軸筒内部に穿入し、しかも操作性移動が可能で、該軸棒組は移動棒を含
み、該移動棒の径方向中心が貫通した通孔を開設し、
該弾性体は該バルブ台の軸筒内部に収容され、該弾性体の両端は該バルブ台と軸棒組の対
応端面上に接触定位し、
該キャップは該軸棒組の位置に対応し、該バルブ台上に蓋合連接し、これにより該軸棒組
の反対端は該キャップを貫通し外部に露出することを特徴とする痰の吸引装置の気体制御
バルブ組構造。
【請求項２】
前記軸筒と該入気、出気管の相互に接続する位置外部にはそれぞれ定位ブロックを形成し
、該キャップの外部には該定位ブロックに対応する定位片を形成し、相互に係合定位する
ことを特徴とする請求項１記載の痰の吸引装置の気体制御バルブ組構造。
【請求項３】
前記軸棒組はさらにボタンを含み、該移動棒の頂端には凹孔を形成し、該ボタンと相互に
挿入接続し結合することを特徴とする請求項２記載の痰の吸引装置の気体制御バルブ組構
造。
【請求項４】
前記ボタンの外部には２個が相互に対応する回転翼を形成し、該回転翼内部にはそれぞれ
該キャップの定位片に対応する導槽を形成し、こうして該ボタンが下方へと押される時の
移動の方位を制限することを特徴とする請求項３記載の痰の吸引装置の気体制御バルブ組
構造。
【請求項５】
前記軸棒組はさらに上栓リング及び下栓リングを含み、該上、下栓リングはそれぞれ該移
動棒の通孔上、下両側に嵌設することを特徴とする請求項１記載の痰の吸引装置の気体制
御バルブ組構造。
【請求項６】
前記弾性体は螺旋バネであることを特徴とする請求項１記載の痰の吸引装置の気体制御バ
ルブ組構造。
【請求項７】
前記バルブ台の軸筒底部には底蓋を連接し、該移動棒の底端にはカバー体を形成し、該弾
性体両端は該底蓋及び該カバー体と相互に接触接続することを特徴とする請求項６記載の
痰の吸引装置の気体制御バルブ組構造。
【考案の詳細な説明】
【技術分野】
【０００１】
本考案は、気体制御バルブ組構造に関する。特に、痰の吸引装置上に装着する気体制御
バルブ組構造に係る。
【背景技術】
【０００２】
公知の痰の吸引装置の気体制御バルブ組構造は、バルブ台、軸棒組、弾性体及びキャッ
プを含む（特許文献１）。該バルブ台は軸筒を備え、該軸筒上には入気管及び出気管をそ
れぞれ延伸し、しかも、相互間は連通する。該軸棒組の一端は該軸筒内部に穿入し、しか
も、それは移動棒を含む。該移動棒の中段には環状凹溝を設置する。
【０００３】
該弾性体は該バルブ台の軸筒内部に収容し、しかも、その両端は該バルブ台と該軸棒組
の対応端面上にそれぞれ接触する。該バルブ台において該軸棒組に対応する位置にはキャ
ップを蓋合、連接し、該バルブ棒組の反対端はキャップ外部に貫通し露出する。こうして
気体制御バルブ組構造を構成する。
【特許文献１】中華民国実用新案公告第5338631号公報
【考案の開示】
【考案が解決しようとする課題】
【０００４】
しかし、公知の痰の吸引装置の気体制御バルブ組構造は、実際の使用においては以下の
問題点が存在する。すなわち、その移動棒の中段には環状凹溝を設置するため、気体が移
動棒を流れ通過する時、その中心部分は移動棒の阻害を受け、該凹溝周縁及び該軸筒内壁
の間に沿って流動する。これにより、その流速はスムーズでなく、吸引力も不足である等
の現象が起きる。
【０００５】
また、その入気、出気管の両端の圧力値は異なるため、痰の吸引装置に連接するメータ
ー圧値と管内の実際圧力値に差異が発生し、医療人員にとって設定及び操作の不便を招い
ている。さらにそれが組成する構造体積が大きいため、製造コストが高騰し、しかも子供
に使用する時には圧迫感がある等の諸問題があり、改善が待たれている。
【課題を解決するための手段】
【０００６】
本考案は、上記構造の問題点を解決した痰の吸引装置の気体制御バルブ組構造を提供す
るものである。
【０００７】
それは、主に痰の吸引装置の気体制御バルブ組構造を提供し、移動棒の径方向に設置す
る中心が貫通した通孔を利用し、気体の流動は一切の阻害を受けることなく、その流速は
スムーズで均一となり、しかもその入気、出気管の両端には圧力差が発生しないため、医
療人員の設定及び操作はより簡単、便利になり、
また、それは、痰の吸引装置の気体制御バルブ組構造を提供し、全体構造の適度な配置に
より、外形体積を大幅に縮小可能で、子供に使用する時の圧迫感があるという問題を解決
し、しかもコスト低下に有効で、
すなわち、それは、バルブ台、軸棒組、弾性体及びキャップを含み、
該バルブ台は軸筒を備え、該軸筒上には入気管及び出気管をそれぞれ延伸し、しかも相互
間は連通し、
該軸棒組の一端は該軸筒内部に穿入し、しかも、操作性移動が可能で、しかもそれは移動
棒を含み、該移動棒の径方向において中心が貫通した通孔を開設し、
該弾性体は該バルブ台の軸筒内部に収容し、しかも、その両端は該バルブ台と該軸棒組の
対応端面上にそれぞれ接触し、該バルブ台において該軸棒組に対応する位置にはキャップ
を蓋合、連接し、該バルブ棒組の反対端はキャップ外部に貫通し露出する痰の吸引装置の
気体制御バルブ組構造を提供する。
【考案の効果】
【０００８】
上記のように、本考案の痰の吸引装置の気体制御バルブ組構造は移動棒の通孔が径方向
より移動棒の中心位置を貫通するため、気体の流動は一切の阻害を受けず、その流速はス
ムーズで均一となる。さらに入気、出気管の両端には圧力値の差異が発生しないため、医
療人員の設定及び操作をより簡単、便利にすることができる。
【考案を実施するための最良の形態】
【０００９】
本考案の立体分解図、組合せ指示図及び組合せ断面図である図１、図２、図３に示すよ
うに、本考案が提供する痰の吸引装置の気体制御バルブ組構造は主にバルブ台10、軸棒組
20、弾性体30及びキャップ40を含む。
【００１０】
該バルブ台10は縦方向の軸筒11を備え、該軸筒11の左、右両側において横方向の入気管
12及び横方向の出気管13をそれぞれ延伸し、該軸筒11は該入気管12及び該出気管13とそれ
ぞれ相互に連通する。また、該軸筒11と該入気、出気管12、13の相互に接続する位置外部
上方にはそれぞれ定位ブロック14を形成する。さらに、該軸筒11の底部には底蓋15を蓋合
連接する。
【００１１】
該軸棒組20の一端は該バルブ台10の軸筒11の内部に穿入し、しかも、該軸筒11に相対し
操作性移動を行う。該軸棒組20は移動棒21、上栓リング22、下栓リング23及びボタン24を
含み、該移動棒21の径方向中心が貫通した通孔211を開設する。該移動棒21の通孔211の上
、下にはそれぞれ上栓リング22及び下栓リング23を嵌設し、該各栓リング22、23の外表面
は該軸筒11の内壁と緊密に接触する。
【００１２】
また、該移動棒21の底端においてカバー体212を成型し、頂端には該ボタン24と相互に
嵌設結合する凹孔213を形成する。該ボタン24の外部には２個が相互に対応する回転翼241
を形成し、該回転翼241の内部にはガイド溝242をそれぞれ形成する。
【００１３】
該弾性体30は円錐形螺旋バネで、それは該バルブ台10の軸筒11内部に収容する。該弾性
体30の両端は該バルブ台10の底蓋15の内端面と該移動棒21のカバー体212の端面上にそれ
ぞれ接触する。
【００１４】
該キャップ40は該バルブ棒組20の位置に対応し、該バルブ台10上に蓋合連接する。これ
により該バルブ棒組20の移動棒21の頂端は該キャップ40を貫通し外部に露出し、該ボタン
24と相互に挿入接続する。該キャップ40の外部にはそれぞれ該バルブ台10の定位ブロック
14及び該ボタン24のガイド溝242に対応する定位片41を形成し、これにより該キャップ40
と該バルブ台10の相対回転動を防止し、及び該ボタン24が下方へと押される時の移動の方
位を制限する。
【００１５】
本考案の使用状態断面図及び図４の軸棒組を90度回転させた組合せ断面図である図４、
５に示すように、本考案の制御バルブ組は痰の吸引装置(図示なし)に連接し、該バルブ台
10の入気、出気管12、13はそれぞれチューブ5及び負圧発生器(図示なし)に連接する。
【００１６】
使用時には、負圧発生器の吸引作用と該軸棒組20を押し下方へと移動させることで、該
移動棒21の通孔211は該入気、出気管12、13の中心孔位置に正対応する。この時、内部の
気体は該移動棒21の通孔211を流れ通過後、さらに該バルブ台10の出気管13の中心孔から
流出するため、一切の阻害がない状況下で、患者の痰を吸引し収集することができる。
【００１７】
この他、図５に示すように、該軸棒組20を90度回転させ、同時に該ボタン24の両回転翼
241と該入気、出気管12、13を垂直にすれば、該ボタン24を押し下方へと移動させても、
該ボタン24と該キャップ40の定位片41の相互接触定位を受け、該軸棒組20は下方へと移動
できず、こうしてその作動の方位を制限する。しかも、該回転翼241の配置により、流動
方向の指示が可能で使用の利便性を向上させることができる。
【図面の簡単な説明】
【００１８】
【図１】本考案の立体分解図である。
【図２】本考案の組合せ指示図である。
【図３】本考案の組合せ断面図である。
【図４】本考案の使用状態断面図である。
【図５】図４の軸棒組を90度回転させた組合せ断面図である。
【符号の説明】
【００１９】
10  バルブ台
11  軸筒
12  入気管
13  出気管
14  定位ブロック
15  底蓋
20  軸棒組
21  移動棒
211  通孔
212  カバー体
213  凹孔
22  上栓リング
23  下栓リング
24  ボタン
241  回転翼
242  ガイド溝
30  弾性体
40  キャップ
41  定位片
5  チューブ
【図１】
0003129887.tif 000003
【図２】
0003129887.tif 000004
【図３】
0003129887.tif 000005
【図４】
0003129887.tif 000006
【図５】
0003129887.tif 000007